(57)【要約】【課題】カメラ付き携帯電話の鉛直方向に対する左右の傾きを簡単且つ確実に検出して、使用者の希望により傾き補正するカメラ付き携帯電話およびその傾き補正方法を提供する。【解決手段】カメラ付き携帯電話１Ａの前面に重力により自由に回転する傾き検出プレート１４を設け、この傾き検出プレート１４の中心開口１４ｂにカメラ部２の光学系（レンズ等）を臨ませ、この傾き検出プレート１４を介して被写体の画像をメモリ部１７に取り込む。そして、傾き検出プレート１４の傾き情報に基づき、メモリ部１７から読み出される画像データを補正し、傾き補正した画像を表示部２８に表示し、また通信相手に送信する。【選択図】図１
2005175563.tif 000002
【特許請求の範囲】
【請求項１】
内蔵するカメラにより被写体の映像を撮影してメモリ部に蓄積すると共に該メモリ部に蓄積された画像データを読み出して音声信号と共に通信相手との間で送受信するカメラ付き携帯電話において、
前記カメラの本体に重力を利用して前記カメラの左右方向の傾きデータを検出する傾き検出プレートを設け、該傾き検出プレートが検出した傾きデータに応じて前記メモリ部に蓄積された画像データの読み出しを制御して、前記カメラの傾きを補正した画像を得ることを特徴とするカメラ付き携帯電話。
【請求項２】
前記傾き検出プレートは、中心開口の周囲を重力により回転可能であり、前記カメラは、前記中心開口を介して前記被写体を撮影するように構成されることを特徴とする請求項１に記載のカメラ付き携帯電話。
【請求項３】
前記傾き検出プレートは、前記中心開口から離れた位置にウエイトが設けられ、前記中心開口に対して前記ウエイトと反対位置に傾き角度を認識するための認識穴が設けられていることを特徴とする請求項２に記載のカメラ付き携帯電話。
【請求項４】
第１スイッチが更に設けられ、表示部に表示される画像の傾き補正を行うか否か選択可能にすることを特徴とする請求項１乃至３のいずれかに記載のカメラ付き携帯電話。
【請求項５】
第２スイッチが更に設けられ、傾き補正画像又は傾き未補正画像の何れかを選択して前記通信相手に送信することを特徴とする請求項１乃至３のいずれかに記載のカメラ付き携帯電話。
【請求項６】
カメラにより被写体の映像を撮影してメモリ部に蓄積すると共に該メモリ部に蓄積された画像データを読み出して送信する携帯端末において、
前記カメラの本体に重力を利用して前記カメラの左右方向の傾きデータを検出する傾き検出プレートを設け、該傾き検出プレートが検出した傾きデータに応じて前記メモリ部に蓄積された画像データの読み出しを制御して、前記カメラの傾きを補正した画像を得ることを特徴とする携帯端末。
【請求項７】
内蔵するカメラにより被写体の映像を撮影して取り込むと共に音声信号を通信相手に送信するカメラ付き携帯電話の左右方向の傾きを検出して、画像データの傾きを補正可能にするカメラ付き携帯電話の傾き補正方法において、
前記カメラにより取り込んだ画像データをメモリ部に蓄積し、重力を利用して前記カメラの鉛直方向に対する左右方向の傾きデータを取り込み、前記メモリ部に蓄積された前記画像データの読み出しを前記傾きデータに応じて読み出して前記傾きを補正することを特徴とするカメラ付き携帯電話の傾き補正方法。
【請求項８】
前記画像データの傾き補正を行うか否か使用者が選択可能にすることを特徴とする請求項７に記載のカメラ付き携帯電話の傾き補正方法。
【請求項９】
カメラにより被写体の映像を撮影してメモリ部に蓄積すると共に該メモリ部に蓄積された画像データを読み出して送信する携帯端末において、
前記カメラの本体に重力を利用して前記カメラの左右方向の傾きデータを検出する傾き検出プレートを設け、該傾き検出プレートが検出した傾きデータに応じて前記メモリ部に蓄積された画像データの読み出しを制御して、前記カメラの傾きを補正した画像を得ることを特徴とする携帯端末。
【発明の詳細な説明】
【技術分野】
【０００１】
本発明は携帯電話に関し、特に風景および人物等の被写体の映像を撮影し、通信相手との間で送受信するカメラ付き携帯電話および携帯端末およびその傾き補正方法に関する。
【背景技術】
【０００２】
携帯電話は、益々高性能化し、使用者（ユーザ）のニーズを満足する各種の機能が付加されている。その１つに、ＣＣＤ（電化結合素子）を使用するカメラが内蔵され、風景や人物等の映像を撮影して通信相手に音声と共に送信することにより、簡単且つ迅速なコミュニケーション又は意思疎通を可能にしている。また、ＣＣＤの量産および価格低下により、携帯電話に内蔵されたカメラの性能（例えば、解像度等）も、一般的なデジタルカメラの性能に近づきつつある。
【０００３】
しかし、携帯電話は、デジタルカメラと異なり、片手で持って使用されるのが一般的であるので、携帯電話を撮影対象に対して正しい角度且つ安定して保持することが困難である。従って、撮影された映像が傾き又は揺れることがあり、その補正が問題となる。
【０００４】
斯かる課題を解決するために、いくつかの技術が開示されている。例えば、傾き情報検出部を設け、テレビ電話における撮影画像のブレを軽減し高品質の画面表示を可能且つ撮影画像データの圧縮率を高めて伝送データ量を抑える携帯テレビ電話装置における撮影画像データ補正方法およびその装置が開示されている（例えば、特許文献１参照）。
【０００５】
また、傾き検出手段および傾き角度算出手段を設け、軽量且つコンパクトな構成で、映像機器本体の水平軸に対する傾きをモニタ画面に表示でき且つその傾きを補正可能にする映像機器の傾き表示装置、表示方法および記録媒体も開示されている（例えば、特許文献２参照。）。
【０００６】
図８は、従来の携帯テレビ電話の全体構成を示すブロック図である。このテレビ電話１は、カメラ部２、手ぶれ補正スイッチ１１、制御部１３、画像入力部１５、メモリ部１７、画像補正部２１、音声処理部２３、無線処理部２５、表示部２８、入力操作部３０、傾き検出部３７、ズーム設定部３９および画像処理部４１により構成される。
【０００７】
カメラ部２は、アンテナ３、使用者が希望する撮影対象又は被写体の映像を撮影して、画像入力部１５に取り込む。手ぶれ補正スイッチ１１は、手ぶれ補正のＯＮ／ＯＦＦを選択して選択信号１２を制御部１３に対して出力する。傾き検出部３７は、カメラ２の傾きに対応した傾き情報３８を制御部１３に対して出力する。画像入力部１５は、制御部１３からの制御信号３２により、カメラ部２の撮影画像を読み込み、画像データ１６に変換してメモリ部１７に対して出力する。メモリ部１７は、制御部１３からの制御信号３３により、画像入力部１５からの画像データを蓄積する。また、このメモリ部１７は、画像データ１８を制御信号３３により読み出して画像補正部２１に対して出力する。画像補正部２１は、上述した傾き情報３８に基づく制御部１３からの信号４３により画像データ１８に対して補正を行う。
【０００８】
制御部１３は、画像処理および無線電話通信網との通信に関する制御を行うものであって、手ぶれ補正スイッチ１１からの選択信号１２、入力操作部３０からのキー信号３１および傾き検出部３７からの傾き情報３８を受け、表示部２８に対して画像データ２９を出力し、音声処理部２３に対して音声信号２４を出力し、無線処理部２５に信号２７、画像入力部１５に制御信号３２、メモリ部１７に制御信号３３、ズーム設定部３９に設定情報４０、画像処理部４１に信号４２および画像補正部２１に補正信号４３を送受信する。
【０００９】
音声処理部２３は、通話信号を符号化および受話音声データを復号化（コーデック処理）し、制御部１３との間で音声信号２４を送受する。画像処理部４１は、信号４２の圧縮／伸長等の処理を行う。ズーム設定部３９は、カメラ部２での遠近（ズーム）撮影に関する焦点距離の設定情報４０を検出する。無線処理部２５は、制御部１３と送受信信号の設定、復調／変調、受信電界強度検出（ＲＳＳＩ）およびＴＤＭＡ（Time Division Multiple Access）処理等の信号２７の送受を制御部１３との間で行い、セル基地局（図示せず）との無線回線接続（エアインタフェース）を、アンテナ３を介して行うため、高周波信号２６に変換する。表示部２８は、画像データ２９を表示する液晶表示パネル（ＬＣＤ）等の表示装置である。入力操作部３０は、電源のＯＮ／ＯＦＦ、テンキーおよび機能選択キー（ファンクションキー）等を有し、制御部１３に対してキー信号３１を出力する。
【００１０】
ここで、画像補正部２１は、カメラ部２で撮影された画像を画像入力部１５から出力される画像データ１６およびカメラ撮影時に傾き検出部３７で検出される傾き情報３８に対応する信号４３により、画像補正がＯＮ／ＯＦＦ制御される。手ぶれ（傾き）補正を行わない場合には、手ぶれ補正スイッチ１１をＯＦＦに設定することにより、手ぶれ（傾き）補正は行われない。表示部２８は、制御部１３から出力される画像データ２９を表示する。尚、上述した従来技術における傾き検出部３７の傾き検出手段は、水銀の移動による接点のオン・オフを含む機械的変化により行われていた。
【特許文献１】特開２００１−１６０９５８号公報（第４−５頁、第１図）
【特許文献２】特開２００２−７７７１２号公報（第５−６頁、第８図）
【発明の開示】
【発明が解決しようとする課題】
【００１１】
上述のように従来の携帯電話端末は、正確且つ迅速な画像の傾き補正が困難であった。従って、本発明の目的は、斯かる課題を解決するカメラ付き携帯電話および携帯端末並びにその傾き補正方法を提供することである。
【課題を解決するための手段】
【００１２】
前述の課題を解決するため本発明によるカメラ付き携帯電話および携帯端末並びにその傾き補正方法は、次のような特別な構成を採用している。
【００１３】
（１）内蔵するカメラにより被写体の映像を撮影してメモリ部に蓄積すると共に該メモリ部に蓄積された画像データを読み出して音声信号と共に通信相手との間で送受信するカメラ付き携帯電話において、
前記カメラの本体に重力を利用して前記カメラの左右方向の傾きデータを検出する傾き検出プレートを設け、該傾き検出プレートが検出した傾きデータに応じて前記メモリ部に蓄積された画像データの読み出しを制御して、前記カメラの傾きを補正した画像を得ることを特徴とするカメラ付き携帯電話。
【００１４】
（２）前記傾き検出プレートは、中心開口の周囲を重力により回転可能であり、前記カメラは、前記中心開口を介して前記被写体を撮影するように構成される上記（１）のカメラ付き携帯電話。
【００１５】
（３）前記傾き検出プレートは、前記中心開口から離れた位置にウエイトが設けられ、前記中心開口に対して前記ウエイトと反対位置に傾き角度を認識するための認識穴が設けられている上記（２）のカメラ付き携帯電話。
【００１６】
（４）第１スイッチが更に設けられ、表示部に表示される画像の傾き補正を行うか否か選択可能にする上記（１）乃至（３）のいずれかのカメラ付き携帯電話。
【００１７】
（５）第２スイッチが更に設けられ、傾き補正画像又は傾き未補正画像の何れかを選択して前記通信相手に送信する上記（１）乃至（３）のいずれかのカメラ付き携帯電話。
【００１８】
（６）カメラにより被写体の映像を撮影してメモリ部に蓄積すると共に該メモリ部に蓄積された画像データを読み出して送信する携帯端末において、
前記カメラの本体に重力を利用して前記カメラの左右方向の傾きデータを検出する傾き検出プレートを設け、該傾き検出プレートが検出した傾きデータに応じて前記メモリ部に蓄積された画像データの読み出しを制御して、前記カメラの傾きを補正した画像を得る携帯端末。
【００１９】
（７）内蔵するカメラにより被写体の映像を撮影して取り込むと共に音声信号を通信相手に送信するカメラ付き携帯電話の左右方向の傾きを検出して、画像データの傾きを補正可能にするカメラ付き携帯電話の傾き補正方法において、
前記カメラにより取り込んだ画像データをメモリ部に蓄積し、重力を利用して前記カメラの鉛直方向に対する左右方向の傾きデータを取り込み、前記メモリ部に蓄積された前記画像データの読み出しを前記傾きデータに応じて読み出して前記傾きを補正するカメラ付き携帯電話の傾き補正方法。
【００２０】
（８）前記画像データの傾き補正を行うか否か使用者が選択可能にする上記（７）のカメラ付き携帯電話の傾き補正方法。
【００２１】
（９）カメラにより被写体の映像を撮影してメモリ部に蓄積すると共に該メモリ部に蓄積された画像データを読み出して送信する携帯端末において、
前記カメラの本体に重力を利用して前記カメラの左右方向の傾きデータを検出する傾き検出プレートを設け、該傾き検出プレートが検出した傾きデータに応じて前記メモリ部に蓄積された画像データの読み出しを制御して、前記カメラの傾きを補正した画像を得る携帯端末。
【発明の効果】
【００２２】
本発明のカメラ付き携帯電話および携帯端末並びにその傾き補正方法によると、次の如き実用上の顕著な効果が得られる。即ち、重力を利用して回転する傾き検出プレートを用いてカメラ付き携帯電話の鉛直方向に対する左右方向の傾きデータを得るので、この傾きデータにより画像データを性格且つ迅速に補正して正規の画像を表示部に表示し、また通信相手に送信することが可能である。特に、片手で保持して撮影する携帯電話のカメラの場合には、正しい（水平）状態に安定してカメラを保持することが困難であり、しかも被写体により傾きは不自然となるので、本発明は有効である。また、傾き検出プレートは簡単な構成であり、カメラ、特にその光学系（レンズ等）の周囲に簡単に実装可能である。更に、スイッチを設けて、表示部に表示される画像の傾きを補正又は未補正の何れかで表示でき且つ通信相手に送信する画像も傾き補正又は未補正の何れかを選択可能である。
【実施例１】
【００２３】
以下、本発明によるカメラ付き携帯電話の好適実施例の構成および動作を、添付図面を参照して詳細に説明する。尚、説明の便宜上、上述した従来技術の構成要素に対応する構成要素には同様の参照符号を使用することとする。そして、以下の説明では、従来技術との相違点を中心に説明する。
【００２４】
先ず、図１は、本発明によるカメラ付き携帯電話の第１実施例の全体構成を示すブロック図である。本発明のカメラ付き携帯電話１Ａは、カメラ部２、アンテナ３、傾き（又は手ぶれ）補正スイッチ１１、制御部１３、傾き検出プレート１４、画像入力部１５、メモリ部１７、傾き検出部１９、画像補正部２１、音声処理部２３、無線処理部２５、表示部２８および入力操作部３０により構成される。
【００２５】
ここで、カメラ付き携帯電話1Ａの構成要素の主要機能を説明する。傾き補正スイッチ１１は、傾き（手ぶれ）補正のＯＮ/ＯＦＦを選択し手制御部１３に対して選択信号１２を出力する。傾き検出プレート１４は、撮影するカメラ部２の前面に配置されている。カメラ部２は、傾き検出プレート１４を通して風景や人物等の被写体を撮影する。
【００２６】
画像入力部１５は、制御部１３からの制御信号３２により撮影画像を読み込んで画像データ１６に変換し、メモリ部１７に対して出力する。メモリ部１７は、制御部１３からの制御信号３３により上述した画像データ１６を蓄積し、また制御信号３３により画像データ１８を読み出し、傾き検出部１９および画像補正部２１に対して出力する。傾き検出部１９は、画像データ１８を受け取り、カメラ２の傾き角度に対応した傾きデータ２０を画像補正部２１に対して出力する。画像補正部２１は、傾き補正を選択した場合（傾き補正スイッチ１１をＯＮ）には、制御部１３からの制御信号３４により画像データ１８をカメラ２の傾き角度に対応した角度補正し、傾きのない画像データ２２を制御部１３に対して出力する。他方、傾き補正を選択しない場合（傾き補正スイッチ１１をＯＦＦ）には、上述した制御信号３４により傾いた画像データ１８をカメラ２の傾き角度に対応した角度の補正をせず、傾きのあるままの画像データ２２を制御部１３に対して出力する。
【００２７】
制御部１３は、選択信号１２、画像データ２２およびキー信号３１を受け取り、制御信号３２、制御信号３３および制御信号３４を出力し、音声信号２４および信号２７を送受信する。音声処理部２３は、通話信号を符号化および受話音声データを復号化し（コーデック処理を行う）、音声信号２４を送受する。無線処理部２５は、制御部１３と送受信周波数の設定、復調／変調、受信電界強度検出（ＲＳＳＩ）およびＴＤＭＡ処理等の信号２７を送受し、セル基地局（図示せず）との無線回線接続（エアインタフェース）を、アンテナ３を通じて行うために高周波信号２６へ変換する。表示部２８は、画像データ２９を表示する。入力操作部３０は、電源オン・オフ（ＯＮ／ＯＦＦ）、テンキー、機能選択キー等を有し、キー信号３１を出力する。
【００２８】
次に、図１に示す本発明のカメラ付き携帯電話１Ａの詳細構成および動作を、図２〜図６を参照して説明する。図２は、カメラ付き携帯電話１Ａの本体への傾き検出プレート１４の実装状態を示す。図３は、本発明によるカメラ付き携帯電話１Ａの傾き補正動作を示すフローチャートである。図４は、携帯電話の傾きの定義を説明する図である。図５は、携帯電話の状態と画像の関係を示す図である。図６は、画像補正処理の手法を示す図である。
【００２９】
先ず、傾き検出プレート１４の構成および作用を、図２（Ａ）〜Ｃ）を参照して説明する。図２（Ａ）は、傾き検出プレート１４が実装されたカメラ付き携帯電話１Ａの正面図である。図２（Ｂ）および（Ｃ）は、それぞれ傾きがない場合および傾きがある場合の傾き検出プレート１４の状態を示す図である。
【００３０】
図２（Ａ）に示す如く、傾き検出プレート１４は、ファインダープレート１４ａ、玉１４ｅおよびベースプレート１４ｆにて構成される。また、ファインダープレート１４ａとベースプレート１４ｆは、玉１４ｅを介したベアリング構造であり、ベースプレート１４ｆはカメラ付き携帯電話１Ａの本体に固定されている。
【００３１】
ファインダープレート１４ａは、カメラ撮影用の通し穴（貫通孔）１４ｂが中央部に、傾き角度を認識する認識穴１４ｃが通し穴１４ｂの外側に穴明けされている。ウェイト１４ｄは、認識穴１４ｃからファインダープレート１４ａを１８０度回転した位置に配置されている。従って、図２（Ｃ）に示す如く、カメラ付き携帯電話１Ａが傾いた状態においても、ファインダープレート１４ａはウエイト（錘）１４ｄにより、認識穴１４ｃが鉛直方向を維持し続ける。即ち、この傾き検出プレート１４は、ウエイト１４ｄによる重力の利用により且つベアリング構成により、カメラ付き携帯電話１Ａの傾きを確実に検出可能である。この傾き検出プレート１４による傾きデータは、使用者が読み取り又は周知の回転位置読取り手段により自動的に読取り可能である。
【００３２】
尚、この実施例のカメラ付き携帯電話１Ａでは、表示部２８が表面に、カメラ部２が裏面に配置されていると仮定して説明する。先ず、傾き補正を行わない場合を説明する。例えば、図５（Ａ）に示す如く、カメラ撮影時にカメラの傾き角度が＋３０°であるとする。傾き補正を行わないため、傾き補正スイッチ１１を「ＯＦＦ」に選択することにより、「オープン」の選択信号１２を制御部１３に対して出力する。カメラ部２は、傾き検出プレート１４を構成するファインダープレート１４ａを通して被写体を撮影する。そして、画像入力部１５は、制御部１３からの制御信号３２により撮影画像を読み込んで画像データ１６に変換し、メモリ部１７に対して出力する。尚、撮影画像は、ファインダープレート１４ａを通して撮影するため、通し穴１４ｂおよび認識穴１４ｃから取り込まれる画像となる。
【００３３】
メモリ部１７は、制御部１３からの制御信号３３により画像データ１６を蓄積する。また、制御部１３からの制御信号３３により画像データ１８を傾き検出部１９および画像補正部２１に対して読み出す。傾き検出部１９は、画像データ１８の中から認識穴１４ｃを通して撮影された画像を検出し、その画像の位置からカメラの傾きが＋３０°であることを検出し、＋３０°の傾きに対応した傾きデータ２０を画像補正部２１に対して出力する。画像補正部２１は、制御部１３からの制御信号３４により傾きデータ２０をカメラ２の傾き角度に対応した傾き補正はせず、画像データ２２を制御部１３に対して出力する。
【００３４】
ここで、図３のフローチャートを参照して傾き補正動作を説明する。図３に示す如く、先ず、カメラ部２は、被写体を撮影する（ステップＳ１）。次に、画像補正部２１は、カメラ部２で撮影された映像に基づき画像入力部１５から出力される画像データ１６をメモリ部１７に一時記憶、即ち画像データの取り込みを行う（ステップＳ２）。そして、メモリ部１７から読み出された画像データ１８および傾き検出部１９において画像データ１８から認識穴１４ｃを通して撮影された画像を検出し、その画像の位置に対応した傾きデータ２０を得る、即ち傾きデータ取り込みを行う（ステップＳ３）。次に、傾き補正スイッチ１１のＯＮ／ＯＦＦに基づき、傾き補正処理を行うか否か判断する（ステップＳ４）。
【００３５】
そこで、傾き補正スイッチ１１の選択信号１２に対応した制御信号３４により、画像補正がＯＮ／ＯＦＦ制御され（画像の回転制御）、画像データ２２を出力する。傾き補正を行う場合（ステップＳ４：ＹＥＳ）には、傾き補正スイッチ１１を「ＯＮ」に選択することで、傾き補正され画像データ２２を出力する（ステップＳ５）。他方、傾き補正を行わない場合（ステップＳ４：ＮＯ）には、傾き補正スイッチ１１を「ＯＦＦ」に選択することで、傾き補正されず画像データ２２を制御部１３に対して出力する（ステップＳ６）。表示部２８は、制御部１３から出力される画像データ２９を表示する。
【００３６】
従って、傾き補正スイッチ１１を「ＯＦＦ」に選択することで、カメラ２の傾き角度が+３０°の状態で撮影時、カメラ２の傾き角度に対応した角度の補正をせず、図５（Ｂ）に示す如く−３０°の傾きのあるままの画像を表示する。
【００３７】
次に、カメラ撮影時にカメラ２の傾き角度が＋３０°のままで、傾き補正を行う場合を説明する。傾き補正を行うため、傾き補正スイッチ１１を「ＯＮ」に選択することで「ＧＮＤ」の選択信号１２を制御部１３に対して出力する。カメラ部２は、傾き検出プレート１４を構成するファインダープレート１４ａ越しに被写体を撮影し、画像入力部１５は制御部１３からの制御信号３２により撮影画像を読み込み、画像データ１６に変換してメモリ部１７に対して出力する。メモリ部１７は、制御部１３からの制御信号３３により画像データ１６を蓄積し、また制御部１３からの制御信号３３により画像データ１８を読み出す。傾き検出部１９は、画像データ１８の中から認識穴１４ｃを通して撮影された画像を検出し、その画像の位置からカメラ２の傾きが＋３０°を検出し、＋３０°の傾きに対応した傾きデータ２０を制御部１３に対して出力する。
【００３８】
画像補正部２１は、制御部１３からの制御信号３４により傾きデータ２０をカメラ２の傾き角度に対応した傾き補正を行い（＋３０°回転）、画像データ２２を制御部１３に対して出力する。ここで、画像補正処理について説明する。
【００３９】
図６に示す如く、先ず画素データ(画像データ１８)は、メモリ部１７内に正規フレーム１０１の如く領域化された第１メモリ空間（正規データ）に記憶される。メモリ部１７は、画素データ(画像データ１８)を図６（Ｂ）に示す如く縦軸アドレスおよび横軸アドレスの如く２次元化して割り当てる。ここで、縦軸アドレス「００５」且つ横軸アドレス「００３」は、「００５００３」のメモリデータとして扱う。
【００４０】
次に、画像補正部２１は、図６（Ｃ）に示す如く読み取り順序に従って、第１メモリ空間（正規データ）からデータサンプリングをし、補正フレーム１０２の如く領域化された第２メモリ空間（画像データ２２）へ置換を行う。尚、データサンプリングは、傾斜角により予め決められた起点および行、列のステップを変えて行う。ここでは、カメラ２の傾きが＋３０°であるため、正規フレーム１０１のデータサンプリングは、アドレス００５００３→００５００４→００５００５→００４００６→００４００７→００４００８…の順序で、各アドレスに対応したデータ（５Ｅ、３Ｄ、５Ｅ、３Ｄ、２Ｂ、１Ｃ、…）について行い、補正フレーム１０２へ置換する。
【００４１】
表示部２８は、制御部１３から出力される画像データ２９を表示する。従って、傾き補正スイッチ１１を「ＯＮ」に選択することで、カメラ２の傾き角度が＋３０°の状態で撮影時、カメラ２の傾き角度に対応した傾き補正を行い（＋３０°回転）、図５（Ｃ）に示す如き傾きのない画像を表示することができる。
【００４２】
以上、第１実施例ではＰＤＣ(Personal Digital
Cellular)について説明したが、他の伝送方式にもそのまま適用可能である。例えば、ＰＤＣよりも伝送速度が速いＴＤＭＡ(Time Division
Multiple Access)方式のＰＨＳ(Personal Handy-phone System)やＷ−ＣＤＭＡ(Wideband Code
Division Multiple Access)方式（ＩＭＴ−２０００）やＣＤＭＡ方式（ＩＳ−９５）にもそのまま適用可能である。
【実施例２】
【００４３】
次に、本発明の第２実施例を、図７を参照して説明する。図７のカメラ付き携帯電話１Ｂは、カメラ部２、アンテナ３、傾き補正スイッチ（第１スイッチ）１１、制御部１３、傾き検出プレート１４、画像入力部１５、メモリ部１７、傾き検出部１９、画像補正部２１、音声処理部２３、無線処理部２５、表示部２８、入力操作部３０およびスイッチ（第２スイッチ）３５により構成される。
【００４４】
傾き補正スイッチ１１は、傾き補正のＯＮ/ＯＦＦを選択する選択信号１２を制御部１３に対して出力する。傾き検出プレート１４は、被写体を撮影するカメラ部２の前面に重力により回転可能に配置されている。カメラ部２は、傾き検出プレート１４を通して被写体を撮影する。画像入力部１５は、制御部１３からの制御信号３２により撮影画像を読み込み、画像データ１６に変換してメモリ部１７に対して出力する。メモリ部１７は、制御部１３からの制御信号３３により画像データ１６を蓄積し、また上述した制御信号３３により画像データ１８を読み出し、制御部１３、画像補正部２１および傾き検出部１９に対して出力する。
【００４５】
傾き検出部１９は、メモリ部１７から画像データ１８を受け取り、カメラ２の傾き角度に対応した傾きデータ２０を制御部１３に対して出力する。画像補正部２１は、上述した画像データ１８をカメラ２の傾き角度に対応した角度の補正を常時行い、傾きのない画像データ２２を制御部１３に対して出力する。制御部１３は、画像処理および無線電話通信網との通信に関する制御を各部間で実行するため、選択信号１２、画像データ２２、キー信号３１および選択信号３６を受け取り、制御信号３２および制御信号３３を出力し、音声信号２４および信号２７を送受信する。音声処理部２３は、通話信号を符号化および受話音声データを復号化し（コーデック処理を行う）、音声信号24を送受信する。
【００４６】
また、無線処理部２５は、送受信周波数の設定、復調/変調、受信電界強度検出（ＲＳＳＩ）およびＴＤＭＡ処理等の信号２７を送受信し、セル基地局（図示せず）との無線回線接続（エアインタフェース）を、アンテナ３を通じて行うために高周波信号２６へ変換する。表示部２８は、画像データ２９を表示する。入力操作部３０は、電源オン・オフ（ＯＮ/ＯＦＦ）、テンキー、機能選択キー等を有し、キー信号３１を制御部１３に対して出力する。スイッチ３５は、転送用傾き補正のＯＮ/ＯＦＦを選択し、選択信号３６を制御部１３に対して出力する。
【００４７】
即ち、第２実施例のカメラつき携帯電話１Ｂは、制御部１３に対してメモリ部１７から出力される傾きのある画像傾きデータ１８および画像補正部２１から出力される画像補正された傾きのない画像データ２２の２種類の画像データを入力するように変更し、データ転送用画像の傾き補正のＯＮ／ＯＦＦ制御スイッチ３５を追加した点で、図１に示す第１実施例のカメラ付き携帯電話１Ａと異なる。
【００４８】
この第２実施例のカメラ付き携帯電話１Ｂは、表示部２８に表示される画像の傾き補正のＯＮ／ＯＦＦ制御をスイッチ（第１スイッチ）１１で行い、またデータ転送用画像の傾き補正のＯＮ／ＯＦＦ制御をスイッチ（第２スイッチ）３５で行うことができる。即ち、表示部用、データ転送用各々の画像の傾き補正のＯＮ／ＯＦＦ制御を使用者（ユーザ）が任意に選択可能である。
【図面の簡単な説明】
【００４９】
【図１】本発明によるカメラ付き携帯電話の第１実施例の全体構成を示すブロック図である。
【図２】図１に示すカメラ付き携帯電話で使用する傾き検出プレートの説明図であり、（Ａ）は実装状態を示し、（Ｂ）は傾きがない場合の傾き検出プレートの詳細構成を示し、（Ｃ）は傾きがある場合の傾き検出プレートの状態を示す。
【図３】図１に示すカメラ付き携帯電話の傾き補正動作を説明するフローチャートである。
【図４】カメラ付き携帯電話の傾き状態の説明図である。
【図５】本発明のカメラ付き携帯電話の傾き状態と表示画像の関係を示し、（Ａ）は画像取り込み状態、（Ｂ）は傾き補正前の表示画像および（Ｃ）は傾き補正後の表示画像である。
【図６】本発明における画像補正処理の手法の説明図であり、（Ａ）は傾き画像データと補正データの関係、（Ｂ）は正規フレームの構成および（Ｃ）は補正データを示す。
【図７】本発明によるカメラ付き携帯電話の第２実施例の全体構成を示すブロック図である。
【図８】従来の携帯テレビ電話の構成を示すブロック図である。
【符号の説明】
【００５０】
１Ａ、１Ｂ  カメラ付き携帯電話
２    カメラ部
１１  傾き補正スイッチ（第１スイッチ）
１３  制御部
１４  傾き検出プレート
１４ａ  ファインダープレート
１４ｂ  中心開口
１４ｃ  認識穴
１４ｄ  ウエイト（錘）
１５  画像入力部
１７  メモリ部
１９  傾き検出部
２１  画像補正部
２３  音声処理部
２５  無線処理部
２８  表示部
３０  入力操作部
３５  スイッチ（第２スイッチ）
３７  傾き検出部
【図１】
2005175563.tif 000003
【図２】
2005175563.tif 000004
【図３】
2005175563.tif 000005
【図４】
2005175563.tif 000006
【図５】
2005175563.tif 000007
【図６】
2005175563.tif 000008
【図７】
2005175563.tif 000009
【図８】
2005175563.tif 000010